(57)【要約】【課題】コストアップを抑えながらも、ユーザーの設定できる項目を増やすことができるレンズ鏡筒を提供する。【解決手段】第一の操作部材であるカスタム設定スイッチ１２と、撮影操作に使用され、アクチュエータにより駆動可能な第二の操作部材であるフォーカスリング１２と、第二の操作部材の状態を表示する表示手段である指標窓１４と、カスタムモードを含む動作モードを設定する動作モード設定手段であるモード切替スイッチ１１とを備え、カスタム設定スイッチ１２は、モード切替スイッチ１１により、カスタムモードが選択された場合は、カスタムモードの設定内容を選択可能であり、フォーカスリング１２は、前記アクチュエータの駆動により操作することによって、選択された項目の設定内容を表示可能である。【選択図】        図１
2004163565.tif 000002
【特許請求の範囲】
【請求項１】
撮影操作に使用され、アクチュエータにより駆動可能な操作部材と、
前記操作部材の状態を表示する表示手段と、
カスタムモードを含む動作モードを設定する動作モード設定手段とを備え、
前記操作部材は、前記動作モード設定手段により、前記カスタムモードが選択された場合には、前記アクチュエータの駆動により、予め定められた項目の設定内容を表示可能であること
を特徴とするレンズ鏡筒。
【請求項２】
第一の操作部材と、
撮影操作に使用され、アクチュエータにより駆動可能な第二の操作部材と、
前記第二の操作部材の状態を表示する表示手段と、
カスタムモードを含む動作モードを設定する動作モード設定手段とを備え、
前記第一の操作部材は、前記動作モード設定手段により、前記カスタムモードが選択された場合は、前記カスタムモードの設定内容を選択可能であり、
前記第二の操作部材は、前記アクチュエータの駆動により、選択された項目の設定内容を表示可能であること
を特徴とするレンズ鏡筒。
【請求項３】
請求項２に記載のレンズ鏡筒において、
前記第二の操作部材は、手動により操作することによって、選択された項目の設定内容を変更可能であること
を特徴とするレンズ鏡筒。
【請求項４】
請求項２又は請求項３に記載のレンズ鏡筒において、
前記第一の操作部材は、撮影倍率を設定するズームリングであり、
前記第二の操作部材は、焦点距離を調整するフォーカスリングであること
を特徴とするレンズ鏡筒。
【発明の詳細な説明】
【０００１】
【発明の属する技術分野】
本発明は、カメラボディに着脱自在なレンズ鏡筒に適し、特に、動作モードのカスタム機能の設定が可能なレンズ鏡筒に関するものである。
【０００２】
【従来の技術】
従来のカスタム機能付きのカメラとして、カスタム機能選択部のスイッチ（レリーズ釦の半押しＳＷ１又はレリーズ釦の全押しＳＷ２）をオンさせて、予め設定されたスイッチごとのカスタム機能を選択し、モード設定部の操作で、選択されたカスタム機能について設定／非設定を設定し、結果をカスタム機能記憶部に記憶させ、撮影時に、カスタム機能選択部のスイッチ（ＳＷ１）又は（ＳＷ２）をオンさせて、それぞれについて設定されている機能を動作させるものが知られている（例えば、特許文献１）。
【０００３】
【特許文献１】
特開平７−２９５０１８号公報
【０００４】
【発明が解決しようとする課題】
上述したカスタム機能の設定をレンズ鏡筒側で行おうとすると、レンズ鏡筒に切替用スイッチを設け、それにより、動作モードを設定しなけれがならない。
しかし、近年のレンズ鏡筒の高機能化に伴い、ユーザーの設定できる項目を増やしたいという要請があり、この場合には、多くのスイッチを設ける必要があり、作業が煩雑になる上、コストアップが伴う。
また、多くのスイッチを設けると、防水、防塵性が求められる交換レンズにおいては、従来より信頼性が低下してしまう可能性がある。
【０００５】
本発明の課題は、コストアップを抑えながらも、ユーザーの設定できる項目を増やすことができるレンズ鏡筒を提供することである。
【０００６】
【課題を解決するための手段】
前記課題を解決するために、請求項１の発明は、撮影操作に使用され、アクチュエータにより駆動可能な操作部材と、前記操作部材の状態を表示する表示手段と、カスタムモードを含む動作モードを設定する動作モード設定手段とを備え、前記操作部材は、前記動作モード設定手段により、前記カスタムモードが選択された場合には、前記アクチュエータの駆動により、予め定められた項目の設定内容を表示可能であることを特徴とするレンズ鏡筒である。
【０００７】
請求項２の発明は、第一の操作部材と、撮影操作に使用され、アクチュエータにより駆動可能な第二の操作部材と、前記第二の操作部材の状態を表示する表示手段と、カスタムモードを含む動作モードを設定する動作モード設定手段とを備え、前記第一の操作部材は、前記動作モード設定手段により、前記カスタムモードが選択された場合は、前記カスタムモードの設定内容を選択可能であり、前記第二の操作部材は、前記アクチュエータの駆動により、選択された項目の設定内容を表示可能であることを特徴とするレンズ鏡筒である。
【０００８】
請求項３の発明は、請求項２に記載のレンズ鏡筒において、前記第二の操作部材は、手動により操作することによって、選択された項目の設定内容を変更可能であることを特徴とするレンズ鏡筒である。
請求項４の発明は、請求項２又は請求項３に記載のレンズ鏡筒において、前記第一の操作部材は、撮影倍率を設定するズームリングであり、前記第二の操作部材は、焦点距離を調整するフォーカスリングであることを特徴とするレンズ鏡筒である。
【０００９】
【発明の実施の形態】
以下、本発明の実施形態について、図面を参照しながら、説明する。
（第一実施形態）
図１は、本発明によるレンズ鏡筒の第一実施形態を示す図である。
第一実施形態のレンズ鏡筒１０は、図１（Ａ）に示すように、モード切替スイッチ（ＳＷ）１１と、カスタム設定スイッチ１２と、フォーカスリング１３と、指標窓１４と、レンズスイッチ１５等とを備えている。
【００１０】
モード切替スイッチ（動作モード設定手段）１１は、カスタム設定を含むレンズのモード設定が可能なスイッチであり、例えば、図１（Ｂ）に示すように、「Ｍ／Ａ」モード、「Ｍ」モード、「カスタム設定」モードに切り替えることができる。
【００１１】
カスタム設定スイッチ（第一の操作部材）１２は、モード切替スイッチ１１を「カスタム設定」に切り替えたときに、カスタム設定の選択をするスイッチであり、例えば、図１（Ｃ）に示すように、「Ｍ／Ａ感度（Ｍ／Ａの割り込み感度）」、「レンズＳＷ（レンズＳＷの機能選択）」を選択をすることができる。
【００１２】
フォーカスリング（第二の操作部材）１３は、焦点距離を調整する合焦用のリングであり、「Ｍ／Ａ」モードでは、レンズ内のアクチュエータ、例えば、超音波モータなどによって、「Ｍ」モードでは、手動により、フォーカスリングを操作し、ピントを合わせる。
このフォーカスリング１３は、通常のスライドスイッチ等に比べてはるかに多い位置分解能を持っているため、フォーカスリング１３を通して、細かなユーザー設定をコストアップを抑えて実現することができる。
【００１３】
指標窓（表示手段）１４は、指標１４ａに合わせられる位置によって、フォーカスリング１３のレンズ位置を示す窓であり、例えば、図１（Ｄ）に示すように、∞、１０、５、３ｍの符号が記載されており、それらと並んで、カスタム設定内容を示す、Ｃ１〜Ｃ４の文字も記載されている。
Ｃ１〜Ｃ４の意味は、図１（Ｅ）に示すように、「Ｍ／Ａ感度」の場合には、Ｃ１：割り込みなし、Ｃ２：鈍感、Ｃ３：普通、Ｃ４：敏感であり、「レンズＳＷ」の場合には、Ｃ１：フォーカスロック、Ｃ２：ＡＦ−ＯＮ、Ｃ３：無効、Ｃ４：無効である。
【００１４】
まず、ユーザがカスタムを設定したい場合には、動作モード切替ＳＷ１１により「カスタム設定」を選択する。
すると、レンズ内のアクチュエータによりフォーカスリング１３が操作され、指標窓１４のカスタム設定内容（Ｃ１〜Ｃ４）を指標１４ａに合わされ、カスタム設定ＳＷ１２に対応する現在の設定内容が、ユーザに示される。
【００１５】
この内容を変更したい場合は、現在の設定内容を示している指標１４ａに対して、フォーカスリング１３を手動によって操作することにより、所望の設定モードの記載場所（Ｃ１〜Ｃ４）に合わせることができる。
そして、レンズ鏡筒１０は、「カスタム設定」モードから他のモードに移ったとき、または、レンズＳＷ１５のＯＮや不図示のカメラ本体のレリーズＳＷの半押し操作が行われたときに、フォーカスリング１３の状態を、レンズ内にあるエンコーダで読み、設定内容をレンズ内にある不揮発性メモリ（ＥＥＰＲＯＭ）に保存する。
【００１６】
このように、第一実施形態によれば、フォーカスリング１３等の操作リングを動作モード設定用にも利用することにより、従来よりも、多くのモード設定項目とその内容を選択、設定をすることができる。
このため、高機能のレンズ鏡筒において、従来のレンズにもあるフォーカスリング、オートフォーカス機能といった機構をレンズの動作モード設定にも利用することにより、コストアップを抑えながら、ユーザー設定の増加に対応する交換レンズユニットが実現できるようになる。
【００１７】
（第二実施形態）
図２は、本発明によるレンズ鏡筒の第二実施形態を示す図である。
なお、前述した第一実施形態と同様の機能を果たす部分には、同一の符号を付して、重複する説明を適宜省略する。
第二実施形態のレンズ鏡筒１０−２は、撮影倍率を変更できるズームレンズ１２−２を備えており、この場合は、ズームリング１２−２を、第一実施形態のカスタム設定スイッチ１２に割り当てたものである。
【００１８】
ズームリング１２−２には、図２（Ｃ）に示すように、従来と同様に、焦点距離（８５、７０、５０、３５、２４ｍｍ等）が記載され、現在の焦点距離がわかるようになっているが、本実施形態では、さらに、モード切替スイッチ１１でカスタム設定を選択した場合に、カスタム設定内容をズームリング１２−２により選択できるように、「Ｍ／Ａ感度」、「レンズＳＷ」の記載がある。
操作については、第一実施形態でのカスタム設定スイッチ１２がズームリング１２−２に代わったのみであり、その動作については、第一実施形態と略同様である。
【００１９】
（変形形態）
以上説明した実施形態に限定されることなく、種々の変形や変更が可能であって、それらも本発明の均等の範囲内である。
上記実施形態では、Ｍ／Ａ感度（Ｍ／Ａの割り込み感度）、レンズＳＷ（レンズＳＷの機能選択）の例で説明したが、他のレンズ機能の設定、例えば、何ｍから何ｍまでというフォーカス制限機能の設定であってもよい。
この場合に、フォーカスリングには、焦点距離を表す数値が何ｍ、・・・とあるので、Ｃ１，Ｃ２，・・・等を記載しなくてもよく、フォーカスリングそのものが、指標になる。
なお、レンズに内蔵された超音波モータなどのアクチュエータでなく、ボディ内のモータの回転を、レンズ側に伝達する場合には、マニュアル操作に切り換えて、ボディ側でカップリングを外しておけば、フォーカスリングを操作しても、アクチュエータや伝達系の負担にならない。
【００２０】
また、カスタム設定で変えることができるパラメータが１つの場合、例えば、「レンズＳＷ」がなく、「Ｍ／Ａの割り込み感度」の設定のみの場合には、第一操作部材としてのカスタム設定スイッチ１２は必要なく、撮影操作に使用され、アクチュエータにより駆動可能なフォーカスリング１３（操作部材）と、フォーカスリング１３の状態を表示する指標窓（表示手段）１４と、カスタムモードを含む動作モードを設定するモード切替スイッチ（動作モード設定手段１１）とを備えることにより、フォーカスリング１３は、動作モード設定手段１１により、カスタムモードが選択された場合には、アクチュエータの駆動により操作することによって、予め定められた項目の設定内容を表示可能となる。
【００２１】
【発明の効果】
以上詳しく説明したように、本発明によれば、フォーカスリングやズームリング等の操作部材を動作モード設定用にも利用することにより、従来よりも、多くのモード設定項目とその内容を選択、設定をすることができる。
このため、高機能のレンズ鏡筒において、従来のレンズ鏡筒にもあるフォーカスリング、オートフォーカス機能、ズームリングといった機構をレンズの動作モード設定にも利用することにより、コストアップを抑えながら、ユーザー設定の増加に対応する交換レンズユニットが実現できるようになる。
【図面の簡単な説明】
【図１】本発明によるレンズ鏡筒の第一実施形態を示す図である。
【図２】本発明によるレンズ鏡筒の第二実施形態を示す図である。
【符号の説明】
１０，１０−２  レンズ鏡筒
１１  モード切替スイッチ
１２  カスタム設定スイッチ
１２−２  ズームリング
１３  フォーカスリング
１４  指標窓
１４ａ  指標
１５  レンズスイッチ
【図１】
2004163565.tif 000003
【図２】
2004163565.tif 000004